【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
階層化された直交分割多重信号を受信する受信装置において、
前記受信装置の入力を選局後、直交復調してデジタルの所望の帯域信号として復調する復調手段と、
前記復調後のデータを直交変換する直交変換手段と、
前記直交変換後のシンボル上のキャリアの種別又は階層情報を判定するキャリア情報判定手段と、
前記キャリア情報判定結果に基づき前記直交変換後のキャリアを等化する等化手段と、
前記キャリア情報判定結果に基づき前記等化後のキャリアから送信されたキャリアを判定する判定手段と
を有することを特徴とする受信装置。
【請求項２】
階層化された直交分割多重信号を受信する受信装置において、前記受信装置は複数の受信入力を有し、
前記受信入力の各々を選局後、直交復調してデジタルの所望の帯域信号として復調する復調手段と、
各々の前記復調後のデータを直交変換する直交変換手段と、
各々の前記直交変換後のシンボル上のキャリアの種別又は階層情報を判定するキャリア情報判定手段と、
各々の前記キャリア情報判定結果のうち少なくとも１つに基づき前記各々の直交変換後のキャリアを等化及び合成する等化合成手段と、
各々の前記キャリア情報判定結果のうち少なくとも１つに基づき前記等化合成後のキャリアから送信されたキャリアを判定する判定手段と
を有することを特徴とする受信装置。
【請求項３】
階層化された直交分割多重信号を受信する受信装置において、前記受信装置は複数の受信入力を有し、
前記受信入力の各々を選局後、直交復調してデジタルの所望の帯域信号として復調する復調手段と、
各々の前記復調後のデータを直交変換する直交変換手段と、
複数の前記直交変換後のシンボル上のキャリアのうち、いずれかの前記直交変換後のシンボル上のキャリアの種別又は階層情報を判定するキャリア情報判定手段と、
前記キャリア情報判定結果に基づき前記各々の直交変換後のキャリアを等化及び合成する等化合成手段と、
前記キャリア情報判定結果に基づき前記等化合成後のキャリアから送信されたキャリアを判定する判定手段と
を有することを特徴とする受信装置。
【請求項４】
前記キャリア情報判定手段は、キャリアの種別又は階層情報を判定する際、
キャリア位置移動後のキャリア番号又はセグメント番号に基づき、キャリア位置移動前の種別又は階層情報又はキャリア番号又はセグメント番号を求めることを特徴とする請求項１から３のいずれか１項に記載の受信装置。
【請求項５】
前記キャリア情報判定手段は、キャリアの種別又は階層情報を判定する際、
キャリア位置移動前の種別又は階層情報又はキャリア番号又はセグメント番号に基づき、キャリア位置移動後の種別又は階層情報を求めることを特徴とする請求項１から４のいずれか１項に記載の受信装置。
【請求項６】
前記キャリア情報判定手段は、Ｃをキャリア番号、Ｃ’をキャリア位置移動前又は後のキャリア番号、Ｓをセグメント番号、Ｓ’をキャリア位置移動前又は後のセグメント番号、ｍ及びｐを所定値、ｍｏｄを剰余取得処理、ｉｎｔを整数部取得処理として、
【数１】
2006074739.tif 000001
又は
【数３】
2006074739.tif 000002
に基づき、キャリアの種別又は階層情報を判定することを特徴とする請求項１から５のいずれか１項に記載の受信装置。
【請求項７】
前記キャリア情報判定手段は、変調方式に基づく情報を階層情報として出力することを特徴とする請求項１から６のいずれか１項に記載の受信装置。
【請求項８】
前記受信装置は、更に、
前記受信装置出力に前記直交変換の逆変換をする逆直交変換手段を有することを特徴とする請求項１から７のいずれか1項に記載の受信装置。
【請求項９】
前記受信装置は、更に、
前記受信装置出力にガード信号を挿入するガード挿入手段を有することを特徴とする請求項１から８のいずれか1項に記載の受信装置。
【請求項１０】
前記受信装置は、更に、
前記受信装置出力を所望の帯域信号に直交変調し出力する変調手段を有することを特徴とする請求項８又は９に記載の受信装置。
【請求項１１】
階層化された直交分割多重信号を受信する受信回路において、
前記受信回路の入力を選局後、直交復調してデジタルの所望の帯域信号として復調する復調回路と、
前記復調後のデータを直交変換する直交変換回路と、
前記直交変換後のシンボル上のキャリアの種別又は階層情報を判定するキャリア情報判定回路と、
前記キャリア情報判定結果に基づき前記直交変換後のキャリアを等化する等化回路と、
前記キャリア情報判定結果に基づき前記等化後のキャリアから送信されたキャリアを判定する判定回路と
を有することを特徴とする受信回路。
【請求項１２】
階層化された直交分割多重信号を受信する受信回路において、前記受信回路は複数の受信入力を有し、
前記受信入力の各々を選局後、直交復調してデジタルの所望の帯域信号として復調する復調回路と、
各々の前記復調後のデータを直交変換する直交変換回路と、
各々の前記直交変換後のシンボル上のキャリアの種別又は階層情報を判定するキャリア情報判定回路と、
各々の前記キャリア情報判定結果のうち少なくとも１つに基づき前記各々の直交変換後のキャリアを等化及び合成する等化合成回路と、
各々の前記キャリア情報判定結果のうち少なくとも１つに基づき前記等化合成後のキャリアから送信されたキャリアを判定する判定回路と
を有することを特徴とする受信回路。
【請求項１３】
階層化された直交分割多重信号を受信する受信回路において、前記受信回路は複数の受信入力を有し、
前記受信入力の各々を選局後、直交復調してデジタルの所望の帯域信号として復調する復調回路と、
各々の前記復調後のデータを直交変換する直交変換回路と、
複数の前記直交変換後のシンボル上のキャリアのうち、いずれかの前記直交変換後のシンボル上のキャリアの種別又は階層情報を判定するキャリア情報判定回路と、
前記キャリア情報判定結果に基づき前記各々の直交変換後のキャリアを等化及び合成する等化合成回路と、
前記キャリア情報判定結果に基づき前記等化合成後のキャリアから送信されたキャリアを判定する判定回路と
を有することを特徴とする受信回路。
【請求項１４】
階層化された直交分割多重信号を受信する受信方法において、
前記直交分割多重信号を受信して選局し、直交復調してデジタルの所望の帯域信号として復調する復調ステップと、
前記復調後のデータを直交変換する直交変換ステップと、
前記直交変換後のシンボル上のキャリアの種別又は階層情報を判定するキャリア情報判定ステップと、
前記キャリア情報判定結果に基づき前記直交変換後のキャリアを等化する等化ステップと、
前記キャリア情報判定結果に基づき前記等化後のキャリアから送信されたキャリアを判定する判定ステップと
を含むことを特徴とする受信方法。
【請求項１５】
階層化された直交分割多重信号を受信する受信方法において、
複数の前記直交分割多重信号を受信して、各々、選局し、直交復調してデジタルの所望の帯域信号として復調する復調ステップと、
各々の前記復調後のデータを直交変換する直交変換ステップと、
各々の前記直交変換後のシンボル上のキャリアの種別又は階層情報を判定するキャリア情報判定ステップと、
各々の前記キャリア情報判定結果のうち少なくとも１つに基づき前記各々の直交変換後のキャリアを等化及び合成する等化合成ステップと、
各々の前記キャリア情報判定結果のうち少なくとも１つに基づき前記等化合成後のキャリアから送信されたキャリアを判定する判定ステップと
を含むことを特徴とする受信方法。
【請求項１６】
階層化された直交分割多重信号を受信する受信方法において、
複数の前記直交分割多重信号を受信して、各々、選局し、直交復調してデジタルの所望の帯域信号として復調する復調ステップと、
各々の前記復調後のデータを直交変換する直交変換ステップと、
複数の前記直交変換後のシンボル上のキャリアのうち、いずれかの前記直交変換後のシンボル上のキャリアの種別又は階層情報を判定するキャリア情報判定ステップと、
前記キャリア情報判定結果に基づき前記各々の直交変換後のキャリアを等化及び合成する等化合成ステップと、
前記キャリア情報判定結果に基づき前記等化合成後のキャリアから送信されたキャリアを判定する判定ステップとを含むことを特徴とする受信方法。
【請求項１７】
階層化された直交分割多重信号を受信する受信処理を行わせるプログラムにおいて、
前記直交分割多重信号を受信して選局し、直交復調してデジタルの所望の帯域信号として復調する復調ステップと、
前記復調後のデータを直交変換する直交変換ステップと、
前記直交変換後のシンボル上のキャリアの種別又は階層情報を判定するキャリア情報判定ステップと、
前記キャリア情報判定結果に基づき前記直交変換後のキャリアを等化する等化ステップと、
前記キャリア情報判定結果に基づき前記等化後のキャリアから送信されたキャリアを判定する判定ステップとを含むことを特徴とするプログラム。
【請求項１８】
階層化された直交分割多重信号を受信する受信処理を行わせるプログラムにおいて、
複数の前記直交分割多重信号を受信して、各々、選局し、直交復調してデジタルの所望の帯域信号として復調する復調ステップと、
各々の前記復調後のデータを直交変換する直交変換ステップと、
各々の前記直交変換後のシンボル上のキャリアの種別又は階層情報を判定するキャリア情報判定ステップと、
各々の前記キャリア情報判定結果のうち少なくとも１つに基づき前記各々の直交変換後のキャリアを等化及び合成する等化合成ステップと、
各々の前記キャリア情報判定結果のうち少なくとも１つに基づき前記等化合成後のキャリアから送信されたキャリアを判定する判定ステップとを含むことを特徴とするプログラム。
【請求項１９】
階層化された直交分割多重信号を受信する受信処理を行わせるプログラムにおいて、
複数の前記直交分割多重信号を受信して、各々、選局し、直交復調してデジタルの所望の帯域信号として復調する復調ステップと、
各々の前記復調後のデータを直交変換する直交変換ステップと、
複数の前記直交変換後のシンボル上のキャリアのうち、いずれかの前記直交変換後のシンボル上のキャリアの種別又は階層情報を判定するキャリア情報判定ステップと、
前記キャリア情報判定結果に基づき前記各々の直交変換後のキャリアを等化及び合成する等化合成ステップと、
前記キャリア情報判定結果に基づき前記等化合成後のキャリアから送信されたキャリアを判定する判定ステップとを含むことを特徴とするプログラム。
【請求項２０】
階層化された直交分割多重信号を中継する中継局において、
少なくとも１つの送信元からの送信信号を含む伝送された信号を、少なくとも１つの受信アンテナ又は受信端で受信する中継受信部と、
受信後の信号を、請求項１から１０のいずれか１項に記載の受信装置、又は請求項１１から１３のいずれか１項に記載の受信回路、又は請求項１４から１６のいずれか１項に記載の受信方法、又は請求項１７から１９のいずれか１項に記載のプログラムを用いて中継処理する中継処理部と、
前記中継処理部で処理後の信号を、別の送信元として送信アンテナ又は送信端から送信する中継送信部とを有することを特徴とする中継局。
【請求項２１】
階層化された直交分割多重信号を中継する中継システムにおいて、
送信元の送信アンテナ又は送信端から、送信信号を送信する送信局と、
少なくとも１つの請求項２０に記載の中継局とを有することを特徴とする中継システム。 
【手続補正２】
【補正対象書類名】明細書
【補正対象項目名】発明の名称
【補正方法】変更
【補正の内容】
【発明の名称】受信装置及び受信回路及び受信方法及びプログラム及び中継局及び中継システム
【手続補正３】
【補正対象書類名】明細書
【補正対象項目名】０００１
【補正方法】変更
【補正の内容】
【０００１】
本発明は、階層伝送された直交分割多重信号の受信及び中継において、伝送路上の雑音及び干渉による信号品質劣化を抑える装置及び回路及び方法及びプログラム及び局及びシステムに関する。
【手続補正４】
【補正対象書類名】明細書
【補正対象項目名】０００６
【補正方法】変更
【補正の内容】
【０００６】
受信部１１０１では、複数のアンテナ１１１１の受信信号を各ブランチに共通のローカル信号を使用して複素ベースバンド信号に変換し、各ブランチに共通のサンプリングクロックによりデジタル信号に変換した上で、ブランチ毎に直交検波し、離散フーリエ変換してキャリアデータとして出力する。
ダイバーシティ合成回路部１１０２では、複数のアンテナ１１１１からの各入力系統の信号特性に適応したキャリア毎の重み付け係数を示す信号を周波数重み付係数演算回路から入力し、キャリア毎の重み付け係数と、上記ブランチ毎のキャリアデータとのブランチ毎の積和（内積）を計算した結果を１系統のキャリアデータとして出力する。
【手続補正５】
【補正対象書類名】明細書
【補正対象項目名】００１１
【補正方法】変更
【補正の内容】
【００１１】
本発明は、上述の問題を解決するもので、階層伝送された直交分割多重信号の受信及び中継において、伝送路上の雑音及び干渉による信号品質劣化を抑える装置、回路、方法、プログラム、局及びシステムを提供することを目的とする。
【手続補正６】
【補正対象書類名】明細書
【補正対象項目名】００１２
【補正方法】変更
【補正の内容】
【００１２】
上記目的を達成するために、本発明に係る受信装置は、階層化された直交分割多重信号を受信する受信装置において、前記受信装置の入力を選局後、直交復調してデジタルの所望の帯域信号として復調する復調手段と、前記復調後のデータを直交変換する直交変換手段と、前記直交変換後のシンボル上のキャリアの種別又は階層情報を判定するキャリア情報判定手段と、前記キャリア情報判定結果に基づき前記直交変換後のキャリアを等化する等化手段と、前記キャリア情報判定結果に基づき前記等化後のキャリアから送信されたキャリアを判定する判定手段とを有することを特徴とする。
【手続補正７】
【補正対象書類名】明細書
【補正対象項目名】００１３
【補正方法】変更
【補正の内容】
【００１３】
また、上記目的を達成する別の構成の受信装置は、階層化された直交分割多重信号を受信する受信装置において、前記受信装置は複数の受信入力を有し、前記受信入力の各々を選局後、直交復調してデジタルの所望の帯域信号として復調する復調手段と、各々の前記復調後のデータを直交変換する直交変換手段と、各々の前記直交変換後のシンボル上のキャリアの種別又は階層情報を判定するキャリア情報判定手段と、各々の前記キャリア情報判定結果のうち少なくとも１つに基づき前記各々の直交変換後のキャリアを等化及び合成する等化合成手段と、各々の前記キャリア情報判定結果のうち少なくとも１つに基づき前記等化合成後のキャリアから送信されたキャリアを判定する判定手段とを有することを特徴とする。
【手続補正８】
【補正対象書類名】明細書
【補正対象項目名】００１４
【補正方法】変更
【補正の内容】
【００１４】
また、上記目的を達成する別の構成の受信装置は、階層化された直交分割多重信号を受信する受信装置において、前記受信装置は複数の受信入力を有し、前記受信入力の各々を選局後、直交復調してデジタルの所望の帯域信号として復調する復調手段と、各々の前記復調後のデータを直交変換する直交変換手段と、複数の前記直交変換後のシンボル上のキャリアのうち、いずれかの前記直交変換後のシンボル上のキャリアの種別又は階層情報を判定するキャリア情報判定手段と、前記キャリア情報判定結果に基づき前記各々の直交変換後のキャリアを等化及び合成する等化合成手段と、前記キャリア情報判定結果に基づき前記等化合成後のキャリアから送信されたキャリアを判定する判定手段とを有することを特徴とする。
また、上記目的を達成する別の構成の受信装置は、上記に加えて更に、前記キャリア情報判定手段は、キャリアの種別又は階層情報を判定する際、キャリア位置移動後のキャリア番号又はセグメント番号に基づき、キャリア位置移動前の種別又は階層情報又はキャリア番号又はセグメント番号を求めることを特徴とする。
また、上記目的を達成する別の構成の受信装置は、上記に加えて更に、前記キャリア情報判定手段は、キャリアの種別又は階層情報を判定する際、キャリア位置移動前の種別又は階層情報又はキャリア番号又はセグメント番号に基づき、キャリア位置移動後の種別又は階層情報を求めることを特徴とする。
また、上記目的を達成する別の構成の受信装置は、上記に加えて更に、前記キャリア情報判定手段は、Ｃをキャリア番号、Ｃ’をキャリア位置移動前又は後のキャリア番号、Ｓをセグメント番号、Ｓ’をキャリア位置移動前又は後のセグメント番号、ｍ及びｐを所定値、ｍｏｄを剰余取得処理、ｉｎｔを整数部取得処理として、
【数１】
2006074739.tif 000003
又は
【数３】
2006074739.tif 000004
に基づき、キャリアの種別又は階層情報を判定することを特徴とする。
また、上記目的を達成する別の構成の受信装置は、上記に加えて更に、前記キャリア情報判定手段は、変調方式に基づく情報を階層情報として出力することを特徴とする。
【手続補正９】
【補正対象書類名】明細書
【補正対象項目名】００１５
【補正方法】変更
【補正の内容】
【００１５】
また、上記目的を達成する別の構成の受信装置は、上記に加えて更に、前記受信装置出力に前記直交変換の逆変換をする逆直交変換手段を有することを特徴とする。
また、上記目的を達成する別の構成の受信装置は、上記に加えて更に、前記受信装置出力にガード信号を挿入するガード挿入手段を有することを特徴とする。
また、上記目的を達成する別の構成の受信装置は、上記に加えて更に、前記受信装置出力を所望の帯域信号に直交変調し出力する変調手段を有することを特徴とする。
また、上記目的を達成する受信回路は、階層化された直交分割多重信号を受信する受信回路において、前記受信回路の入力を選局後、直交復調してデジタルの所望の帯域信号として復調する復調回路と、前記復調後のデータを直交変換する直交変換回路と、前記直交変換後のシンボル上のキャリアの種別又は階層情報を判定するキャリア情報判定回路と、前記キャリア情報判定結果に基づき前記直交変換後のキャリアを等化する等化回路と、前記キャリア情報判定結果に基づき前記等化後のキャリアから送信されたキャリアを判定する判定回路とを有することを特徴とする。
また、上記目的を達成する別の構成の受信回路は、階層化された直交分割多重信号を受信する受信回路において、前記受信回路は複数の受信入力を有し、前記受信入力の各々を選局後、直交復調してデジタルの所望の帯域信号として復調する復調回路と、各々の前記復調後のデータを直交変換する直交変換回路と、各々の前記直交変換後のシンボル上のキャリアの種別又は階層情報を判定するキャリア情報判定回路と、各々の前記キャリア情報判定結果のうち少なくとも１つに基づき前記各々の直交変換後のキャリアを等化及び合成する等化合成回路と、各々の前記キャリア情報判定結果のうち少なくとも１つに基づき前記等化合成後のキャリアから送信されたキャリアを判定する判定回路とを有することを特徴とする。
また、上記目的を達成する別の構成の受信回路は、階層化された直交分割多重信号を受信する受信回路において、前記受信回路は複数の受信入力を有し、前記受信入力の各々を選局後、直交復調してデジタルの所望の帯域信号として復調する復調回路と、各々の前記復調後のデータを直交変換する直交変換回路と、複数の前記直交変換後のシンボル上のキャリアのうち、いずれかの前記直交変換後のシンボル上のキャリアの種別又は階層情報を判定するキャリア情報判定回路と、前記キャリア情報判定結果に基づき前記各々の直交変換後のキャリアを等化及び合成する等化合成回路と、前記キャリア情報判定結果に基づき前記等化合成後のキャリアから送信されたキャリアを判定する判定回路とを有することを特徴とする。
【手続補正１０】
【補正対象書類名】明細書
【補正対象項目名】００１６
【補正方法】変更
【補正の内容】
【００１６】
また、上記目的を達成する受信方法は、階層化された直交分割多重信号を受信する受信方法において、前記直交分割多重信号を受信して選局し、直交復調してデジタルの所望の帯域信号として復調する復調ステップと、前記復調後のデータを直交変換する直交変換ステップと、前記直交変換後のシンボル上のキャリアの種別又は階層情報を判定するキャリア情報判定ステップと、前記キャリア情報判定結果に基づき前記直交変換後のキャリアを等化する等化ステップと、前記キャリア情報判定結果に基づき前記等化後のキャリアから送信されたキャリアを判定する判定ステップとを含むことを特徴とする。
【手続補正１１】
【補正対象書類名】明細書
【補正対象項目名】００１７
【補正方法】変更
【補正の内容】
【００１７】
また、上記目的を達成する別の受信方法は、階層化された直交分割多重信号を受信する受信方法において、複数の前記直交分割多重信号を受信して、各々、選局し、直交復調してデジタルの所望の帯域信号として復調する復調ステップと、各々の前記復調後のデータを直交変換する直交変換ステップと、各々の前記直交変換後のシンボル上のキャリアの種別又は階層情報を判定するキャリア情報判定ステップと、各々の前記キャリア情報判定結果のうち少なくとも１つに基づき前記各々の直交変換後のキャリアを等化及び合成する等化合成ステップと、各々の前記キャリア情報判定結果のうち少なくとも１つに基づき前記等化合成後のキャリアから送信されたキャリアを判定する判定ステップとを含むことを特徴とする。
【手続補正１２】
【補正対象書類名】明細書
【補正対象項目名】００１８
【補正方法】変更
【補正の内容】
【００１８】
また、上記目的を達成する別の受信方法は、階層化された直交分割多重信号を受信する受信方法において、複数の前記直交分割多重信号を受信して、各々、選局し、直交復調してデジタルの所望の帯域信号として復調する復調ステップと、各々の前記復調後のデータを直交変換する直交変換ステップと、複数の前記直交変換後のシンボル上のキャリアのうち、いずれかの前記直交変換後のシンボル上のキャリアの種別又は階層情報を判定するキャリア情報判定ステップと、前記キャリア情報判定結果に基づき前記各々の直交変換後のキャリアを等化及び合成する等化合成ステップと、前記キャリア情報判定結果に基づき前記等化合成後のキャリアから送信されたキャリアを判定する判定ステップとを含むことを特徴とする。 
【手続補正１３】
【補正対象書類名】明細書
【補正対象項目名】００１９
【補正方法】変更
【補正の内容】
【００１９】
また、上記目的を達成するプログラムは、階層化された直交分割多重信号を受信する受信処理を行わせるプログラムにおいて、前記直交分割多重信号を受信して選局し、直交復調してデジタルの所望の帯域信号として復調する復調ステップと、前記復調後のデータを直交変換する直交変換ステップと、前記直交変換後のシンボル上のキャリアの種別又は階層情報を判定するキャリア情報判定ステップと、前記キャリア情報判定結果に基づき前記直交変換後のキャリアを等化する等化ステップと、前記キャリア情報判定結果に基づき前記等化後のキャリアから送信されたキャリアを判定する判定ステップとを含むことを特徴とする。
【手続補正１４】
【補正対象書類名】明細書
【補正対象項目名】００２０
【補正方法】変更
【補正の内容】
【００２０】
また、上記目的を達成する別のプログラムは、階層化された直交分割多重信号を受信する受信処理を行わせるプログラムにおいて、複数の前記直交分割多重信号を受信して、各々、選局し、直交復調してデジタルの所望の帯域信号として復調する復調ステップと、各々の前記復調後のデータを直交変換する直交変換ステップと、各々の前記直交変換後のシンボル上のキャリアの種別又は階層情報を判定するキャリア情報判定ステップと、各々の前記キャリア情報判定結果のうち少なくとも１つに基づき前記各々の直交変換後のキャリアを等化及び合成する等化合成ステップと、各々の前記キャリア情報判定結果のうち少なくとも１つに基づき前記等化合成後のキャリアから送信されたキャリアを判定する判定ステップとを含むことを特徴とする。
【手続補正１５】
【補正対象書類名】明細書
【補正対象項目名】００２１
【補正方法】変更
【補正の内容】
【００２１】
また、上記目的を達成する別のプログラムは、階層化された直交分割多重信号を受信する受信処理を行わせるプログラムにおいて、複数の前記直交分割多重信号を受信して、各々、選局し、直交復調してデジタルの所望の帯域信号として復調する復調ステップと、各々の前記復調後のデータを直交変換する直交変換ステップと、複数の前記直交変換後のシンボル上のキャリアのうち、いずれかの前記直交変換後のシンボル上のキャリアの種別又は階層情報を判定するキャリア情報判定ステップと、前記キャリア情報判定結果に基づき前記各々の直交変換後のキャリアを等化及び合成する等化合成ステップと、前記キャリア情報判定結果に基づき前記等化合成後のキャリアから送信されたキャリアを判定する判定ステップとを含むことを特徴とする。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
また、上記目的を達成する中継局は、階層化された直交分割多重信号を中継する中継局において、少なくとも１つの送信元からの送信信号を含む伝送された信号を、少なくとも１つの受信アンテナ又は受信端で受信する中継受信部と、受信後の信号を、前記受信装置、又は前記受信回路、又は前記受信方法、又は前記プログラムを用いて中継処理する中継処理部と、前記中継処理部で処理後の信号を、別の送信元として送信アンテナ又は送信端から送信する中継送信部とを有することを特徴とする。 
【手続補正１８】
【補正対象書類名】明細書
【補正対象項目名】００２４
【補正方法】変更
【補正の内容】
【００２４】
また、上記目的を達成する中継システムは、階層化された直交分割多重信号を中継する中継システムにおいて、送信元の送信アンテナ又は送信端から、送信信号を送信する送信局と、少なくとも１つの前記中継局とを有することを特徴とする。 
【手続補正１９】
【補正対象書類名】明細書
【補正対象項目名】００２５
【補正方法】変更
【補正の内容】
【００２５】
本発明の受信装置の構成によれば、直交復調し直交変換され得られたシンボル上のキャリアの種別又は階層情報を判定し、その結果に基づいて等化を行った後、送信されたキャリアを推定して判定を行う。
この構成により、上位局においてキャリアの変調方式をどのように設定した場合においても受信装置で対応可能となり、また変調方式を切り替える場合にも対応可能となり、さらにキャリアが属するセグメントが階層化された場合においてもその階層情報に対応可能となる。従って、階層伝送された直交分割多重信号に対し、上位局の階層情報に追従して受信を行って、受信や中継における伝送路上の雑音及び干渉による信号品質劣化を抑えることが可能となる。
【手続補正２０】
【補正対象書類名】明細書
【補正対象項目名】００２６
【補正方法】変更
【補正の内容】
【００２６】
そして、階層伝送においてインターリーブされたキャリアに対し、インターリーブされる前の信号に戻す処理となるデインターリーブをデータに対して行った後、階層情報を判定する方法では、デインターリーブするためにメモリが必要となって回路規模が大きくなるだけでなく、処理遅延で1シンボル程必要となる。これに対し、本発明の構成によれば
、キャリアを蓄積するメモリは不要であるばかりでなく、周波数領域におけるデータで数サンプル分の処理遅延しか要しない構成が可能となる。従って、デインターリーブする方法に比べて、回路規模の小さい、かつ処理遅延の少ない受信や中継が可能となる。
【手続補正２１】
【補正対象書類名】明細書
【補正対象項目名】００２７
【補正方法】変更
【補正の内容】
【００２７】
また、本発明の受信装置の構成によれば、複数の受信信号に対して、シンボル上のキャリアの種別又は階層情報を判定し、その結果に基づいて等化及び合成を行った後、送信されたキャリアを推定して判定を行う。
この構成により、各受信信号の雑音成分を合成により抑圧できるため、受信信号が１つの場合に比べて、より劣悪な受信環境下においても、階層伝送された信号に対し、上位局の階層情報に追従して受信を行い、受信や中継時の信号品質劣化を抑えることが可能となる。
【手続補正２２】
【補正対象書類名】明細書
【補正対象項目名】００２８
【補正方法】変更
【補正の内容】
【００２８】
また、本発明の受信装置の構成によれば、複数の受信信号のいずれかに対して、シンボル上のキャリアの種別又は階層情報を判定し、その結果に基づいて等化及び合成を行った後、送信されたキャリアを推定して判定を行う。
この構成により、複数の受信信号に対しても１つのキャリア情報判定処理を行えばよいため、複数の受信信号全てのキャリア情報判定処理を行う場合に比べて、演算量の削減が可能となる。
【手続補正２３】
【補正対象書類名】明細書
【補正対象項目名】００２９
【補正方法】変更
【補正の内容】
【００２９】
また、本発明の受信装置の構成によれば、逆直交変換された信号で、伝送路上の雑音及び干渉による信号劣化を抑えた受信や中継を行うことが可能となる。
また、本発明の受信装置の構成によれば、ガード信号が挿入されたシンボルで構成される直交分割多重信号の中継を行うことが可能となり、ガード期間を利用して伝送路歪みによるシンボル間干渉を取り除いて中継を行うこと等が可能となる。
【手続補正２４】
【補正対象書類名】明細書
【補正対象項目名】００３０
【補正方法】変更
【補正の内容】
【００３０】
また、本発明の受信装置の構成によれば、直交変調により、所望の帯域の実信号の送信を行うことが可能となる。
また、本発明の受信回路を、集積回路化して受信装置に用いることにより、装置の規模が小型化されて消費電力が削減できるだけでなく、製造コストが削減できる可能性がある。
【手続補正２５】
【補正対象書類名】明細書
【補正対象項目名】００３１
【補正方法】変更
【補正の内容】
【００３１】
また、本発明の受信方法を用いることにより、階層化された直交分割多重信号を広いエリアで受信や中継するサービスを提供することが可能となる。
また、本発明のプログラムを用いることにより、受信処理の変更がプログラムの変更により可能になり、受信処理を安価に提供できることが可能となる。
【手続補正２６】
【補正対象書類名】明細書
【補正対象項目名】００８２
【補正方法】変更
【補正の内容】
【００８２】
本発明に係る受信装置及び回路及び方法及びプログラム及び中継局及び中継システムは、階層伝送された直交分割多重信号を無線又は有線により受信又は中継する装置及び回路及び方法及びプログラム及び局及びシステムに適用することができ、特に地上デジタル放送を受信又は中継する装置及び回路及び方法及びプログラム及び局及びシステムに有用である。